(57)【要約】【課題】体腔内の医療用カプセルを搬送するのに適した内視鏡装置及び内視鏡用フード並びに医療用カプセルの搬送方法を提供する。【解決手段】内視鏡装置は、内視鏡１０の挿入部１２の先端部４４にフード部材２００が装着され、このフード部材２００の先端部に、体腔内に滞留した医療用カプセル２２０を動かして医療用カプセル２２０の姿勢を変えるための突起部２００Ｅを備える。【選択図】      図６
2007089812.tif 000002
【特許請求の範囲】
【請求項１】
内視鏡の挿入部の先端部、又は、前記挿入部を挿通させることにより該挿入部の体腔内への挿入を補助する挿入補助具の先端部に、
体腔内の医療用カプセルの姿勢を変える突起部を設けたことを特徴とする内視鏡装置。
【請求項２】
前記内視鏡の挿入部の先端部には筒状の内視鏡用フードが装着され、
該内視鏡用フードの先端に前記突起部が設けられることを特徴とする請求項１に記載の内視鏡装置。
【請求項３】
前記挿入部の先端部に設けられた吸引用の開口部と、
該吸引用の開口部に連通される吸引手段と、
前記フード部材の先端部に設けられ、前記吸引手段を作動させて前記吸引用の開口部から吸引を行った際に前記医療用カプセルを保持する保持部と、
を備えたことを特徴とする請求項２に記載の内視鏡装置。
【請求項４】
前記保持部は、前記内視鏡用フードの先端内周面に、前記医療用カプセルの曲面形状に応じた曲面部を形成することにより構成されることを特徴とする請求項３に記載の内視鏡装置。
【請求項５】
内視鏡の挿入部の先端部に装着される筒状の内視鏡用フードにおいて、
体腔内の医療用カプセルの姿勢を変える突起部を先端に設けたことを特徴とする内視鏡用フード。
【請求項６】
体腔内の医療用カプセルを、内視鏡の挿入部の先端部、又は、前記挿入部の挿入を補助する挿入補助具の先端部に保持して搬送する医療用カプセルの搬送方法において、
前記挿入部の先端部に設けた突起部、又は、前記挿入補助具の先端部に設けた突起部によって、体腔内の医療用カプセルを動かして該医療用カプセルの姿勢を調節し、
該姿勢を調整した医療用カプセルを、前記挿入部の先端部、又は、前記挿入補助具の先端部に保持して搬送することを特徴とする医療用カプセルの搬送方法。
【発明の詳細な説明】
【技術分野】
【０００１】
本発明は内視鏡装置及び内視鏡用フード並びに医療用カプセルの搬送方法に係り、特に小腸や大腸等の深部消化管内で医療用カプセルを保持して搬送する医療用カプセルの搬送方法、及びそのための内視鏡装置、並びにそれに用いる内視鏡用フードに関する。
【背景技術】
【０００２】
近年、医療用内視鏡の分野において、小型カメラを内蔵したカプセル型内視鏡が各種開発されている。このカプセル型内視鏡はワイヤレスで利用できるため、挿入部を体腔内に挿入する内視鏡に比べて、患者の苦痛を軽減することができる。
【０００３】
ところで、カプセル型内視鏡等の医療用カプセルは、体腔外に自然に排出されるのを待つのが一般的であるが、体腔内の狭窄部に医療用カプセルが引っかかる場合があり、その場合には、医療用カプセルを探して保持し、回収或いは狭窄部の前方に送り出すことが必要になる。
【０００４】
そこで、体腔内の医療用カプセルを保持する機能を備えた内視鏡装置が各種開発されている。例えば、特許文献１の内視鏡装置は、内視鏡の挿入部の先端部に吸引用の開口部を備え、この開口部に医療用カプセルを吸引して保持するようにしている。
【特許文献１】特開２００４−１９４９７６号公報
【発明の開示】
【発明が解決しようとする課題】
【０００５】
しかしながら、特許文献１は、体腔内の医療用カプセルが斜めになっていると、医療用カプセルを吸着して保持することができないという問題があった。
【０００６】
また、特許文献１は、外径が通常１０ｍｍ程度の医療用カプセルに対して、内径が２〜４ｍｍと非常に小さい吸引用の開口部に医療用カプセルを吸着して保持するため、保持力が弱く、医療用カプセルが脱落するおそれがあった。
【０００７】
さらに、特許文献１は、保持した医療用カプセルが、内視鏡の観察視野範囲に入りにくい場所にあるために視認しにくく、医療用カプセルが脱落しても気づかず、脱落後の医療用カプセルを再度探さなければならないという問題があった。
【０００８】
本発明はこのような事情に鑑みてなされたもので、体腔内の医療用カプセルを搬送するのに適した内視鏡装置及び内視鏡用フード並びに医療用カプセルの搬送方法を提供することを目的とする。
【課題を解決するための手段】
【０００９】
請求項１に記載の発明は前記目的を達成するために、内視鏡の挿入部の先端部、又は、前記挿入部を挿通させることにより該挿入部の体腔内への挿入を補助する挿入補助具の先端部に、体腔内に滞留した医療用カプセルを動かして該医療用カプセルの姿勢を変える突起部を設けたことを特徴とする。
【００１０】
請求項１に記載の発明によれば、体腔内の医療用カプセルが腸管狭窄部でひっかかり斜めになっている場合にも医療用カプセルの姿勢を変えることができる。したがって、医療用カプセルを保持するのに適した姿勢にすることができる。
【００１１】
請求項２に記載の発明は請求項１に記載の発明において、前記内視鏡の挿入部の先端部には筒状の内視鏡用フードが装着され、該内視鏡用フードの先端に前記突起部が設けられることを特徴とする。
【００１２】
請求項２に記載の発明によれば、突起部を有するフード部材を挿入部の先端部に装着することによって、挿入部の先端部に突起部を設けることができる。
【００１３】
請求項３に記載の発明は請求項２に記載の発明において、前記挿入部の先端部に設けられた吸引用の開口部と、該吸引用の開口部に連通される吸引手段と、前記フード部材の先端部に設けられ、前記吸引手段を作動させて前記吸引用の開口部から吸引を行った際に前記医療用カプセルを保持する保持部と、を備えたことを特徴とする。
【００１４】
請求項３に記載の発明によれば、吸引用の開口部を介して吸引を行うことによって、内視鏡用フードの保持部に医療用カプセルを吸着して保持することができる。したがって、内視鏡用フードの突起部で医療用カプセルの姿勢を変えた後、医療用カプセルをそのまま内視鏡用フードの先端の保持部に吸着して保持することができる。
【００１５】
また、請求項３に記載の発明によれば、吸引用の開口部よりも開口面積の大きい内視鏡用フードによって医療用カプセルを保持するので、医療用カプセルを大きな保持力で確実に保持することができる。
【００１６】
請求項４に記載の発明は請求項３に記載の発明において、前記保持部は、前記内視鏡用フードの先端内周面に、前記医療用カプセルの曲面形状に応じた曲面部を形成することにより構成されることを特徴とする。
【００１７】
請求項４に記載の発明によれば、内視鏡用フードの先端内周面に医療用カプセルの曲面形状に応じた曲面部が形成されるので、内視鏡用フードと医療用カプセルとの密着性が向上し、医療用カプセルの保持力が向上する。このような内視鏡用フードは、保持する際の医療用カプセルの姿勢によって保持力が変化するので、上述した突起部によって医療用カプセルの姿勢を、内視鏡用フードの曲面部と医療用カプセルの曲面部が合う向きまで変えることによって、医療用カプセルの十分な保持力を確保することができる。
【００１８】
請求項５に記載の発明は前記目的を達成するために、内視鏡の挿入部の先端部に装着される筒状の内視鏡用フードにおいて、体腔内に滞留した医療用カプセルを動かして該医療用カプセルの姿勢を変える突起部を先端に設けたことを特徴とする。
【００１９】
請求項５に記載の発明によれば、突起部が設けられているので、この内視鏡用フードを挿入部の先端部に装着することによって、体腔内に滞留した医療用カプセルが斜めになっている場合にも医療用カプセルの姿勢を変えることができる。
【００２０】
請求項６に記載の発明は前記目的を達成するために、体腔内の医療用カプセルを、内視鏡の挿入部の先端部、又は、前記挿入部の挿入を補助する挿入補助具の先端部に保持して搬送する医療用カプセルの搬送方法において、前記挿入部の先端部に設けた突起部、又は、前記挿入補助具の先端部に設けた突起部によって、体腔内の医療用カプセルを動かして該医療用カプセルの姿勢を調節し、該姿勢を調整した医療用カプセルを、前記挿入部の先端部、又は、前記挿入補助具の先端部に保持して搬送することを特徴とする。
【発明の効果】
【００２１】
本発明によれば、内視鏡の挿入部の先端部又は挿入補助具の先端部に突起部を設け、この突起部によって、体腔内に滞留した医療用カプセルを動かしてその姿勢を変えられるようにしたので、医療用カプセルが腸管狭窄部でひっかかり斜めになっている場合にも、医療用カプセルの姿勢を変えて、保持に適した姿勢にすることができる。
【発明を実施するための最良の形態】
【００２２】
以下添付図面に従って本発明に係る内視鏡装置及び内視鏡用フード並びに医療用カプセルの搬送方法の好ましい実施の形態について詳述する。
【００２３】
図１は本発明に係る内視鏡装置の実施形態を示すシステム構成図である。図１に示すように内視鏡装置は主として、内視鏡１０、挿入補助具７０、及びバルーン制御装置１００で構成される。
【００２４】
内視鏡１０は、手元操作部１４と、この手元操作部１４に連設され、体腔内に挿入される挿入部１２とを備える。手元操作部１４には、ユニバーサルケーブル１６が接続され、このユニバーサルケーブル１６の先端にＬＧコネクタ１８が設けられる。ＬＧコネクタ１８は光源装置２０に着脱自在に連結され、これによって後述の照明光学系５４（図２参照）に照明光が送られる。また、ＬＧコネクタ１８には、ケーブル２２を介して電気コネクタ２４が接続され、この電気コネクタ２４がプロセッサ２６に着脱自在に連結される。
【００２５】
手元操作部１４には、送気・送水ボタン２８、吸引ボタン３０、シャッターボタン３２、及び機能切替ボタン３４が並設されるとともに、一対のアングルノブ３６、３６が設けられる。手元操作部１４の基端部には、Ｌ状に屈曲した管によってバルーン送気口３８が形成されている。このバルーン送気口３８にエア等の流体を供給、或いは吸引することによって、後述の第１バルーン６０を膨張、或いは収縮させることができる。
【００２６】
挿入部１２は、手元操作部１４側から順に軟性部４０、湾曲部４２、及び先端部４４で構成され、湾曲部４２は、手元操作部１４のアングルノブ３６、３６を回動することによって遠隔的に湾曲操作される。これにより、先端部４４を所望の方向に向けることができる。
【００２７】
図２に示すように、先端部４４の先端面４５には、観察光学系５２、照明光学系５４、５４、送気・送水ノズル５６、鉗子口（吸引用の開口部に相当）５８が設けられる。
【００２８】
観察光学系５２の後方には図３に示すプリズム５３が配設されており、観察光学系５２を介して取り込まれた被写体光の光路がプリズム５３によって下方に屈曲される。プリズム５３の下方には、基盤５７に支持されたＣＣＤ５５が配設されており、プリズム５３で屈曲された被写体光がＣＣＤ５５の受光面に結像するようになっている。そして、ＣＣＤ５５によって被写体光が電気信号に変換され、この電気信号が信号ケーブル５９を介して送信される。信号ケーブル５９は、図１の挿入部１２、手元操作部１４、ユニバーサルケーブル１６等に挿通されて電気コネクタ２４まで延設され、プロセッサ２６に接続される。よって、観察光学系５２で取り込まれた観察像は、ＣＣＤ５５の受光面に結像されて電気信号に変換され、そして、この電気信号が信号ケーブル５９を介してプロセッサ２６に出力され、映像信号に変換される。これにより、プロセッサ２６に接続されたモニタ５０に観察画像が表示される。
【００２９】
図２の照明光学系５４、５４の後方にはライトガイド（不図示）の出射端が配設されている。このライトガイドは、図１の挿入部１２、手元操作部１４、ユニバーサルケーブル１６に挿通され、ＬＧコネクタ１８内に入射端が配設される。したがって、ＬＧコネクタ１８を光源装置２０に連結することによって、光源装置２０から照射された照明光がライトガイドを介して照明光学系５４、５４に伝送され、照明光学系５４、５４から前方に照射される。
【００３０】
図２の送気・送水ノズル５６は、図１の送気・送水ボタン２８によって操作されるバルブ（不図示）に連通されており、さらにこのバルブはＬＧコネクタ１８に設けた送気・送水コネクタ４８に連通される。送気・送水コネクタ４８には不図示の送気・送水手段が接続され、エア又は水が供給される。したがって、送気・送水ボタン２８を操作することによって、送気・送水ノズル５６からエア又は水を観察光学系５２に向けて噴射することができる。
【００３１】
図２の鉗子口５８は、図３の先端部本体６５に支持されたパイプ６１に連通され、さらにパイプ６１にチューブ６３が連結される。チューブ６３は、図１の挿入部１２内に挿通配置されて、鉗子挿入部４６に連通される。よって、鉗子挿入部４６から鉗子等の処置具を挿入することによって、この処置具を鉗子口５８から導出することができる。また、図３のチューブ６３は途中で分岐され、図１の吸引ボタン３０によって操作されるバルブ（不図示）に連通されており、このバルブはさらにＬＧコネクタ１８の吸引コネクタ４９に接続される。吸引コネクタ４９には、吸引ポンプ（吸引手段に相当）５１が接続されている。したがって、吸引ポンプ５１を作動し、吸引ボタン３０でバルブを操作することによって、鉗子口５８から体液やエア等を吸引することができる。
【００３２】
なお、図３の符号６７は、先端部本体６５の先端面に装着されるキャップであり、符号６９は、挿入部１２の外周面を被覆する外皮部材である。
【００３３】
図２に示すように、挿入部１２の外周面には、ゴム等の弾性体から成る第１バルーン６０が装着される。第１バルーン６０は、両端部が絞られた略筒状に形成されており、挿入部１２を挿通させて第１バルーン６０を所望の位置に配置した後、図２に示すように第１バルーン６０の両端部にゴム製の固定リング６２、６２を嵌め込むことによって、第１バルーン６０が挿入部１２に固定される。
【００３４】
第１バルーン６０の装着位置となる挿入部１２の外周面には、通気孔６４が形成されている。通気孔６４は、図１の手元操作部１４に設けられたバルーン送気口３８に連通されている。このバルーン送気口３８はチューブ１１０を介してバルーン制御装置１００に接続される。したがって、バルーン制御装置１００によってエアを供給、吸引することによって、第１バルーン６０を膨張、収縮させることができる。なお、第１バルーン６０はエアを供給することによって略球状に膨張し、エアを吸引することによって挿入部１２の外表面に張り付くようになっている。
【００３５】
一方、図１に示す挿入補助具７０は、基端側に設けられた筒状で硬質の把持部７２と、この把持部７２の先端に装着された本体チューブ７３で構成されており、前述した内視鏡１０の挿入部１２は、把持部７２から本体チューブ７３内に挿入される。
【００３６】
本体チューブ７３は、ウレタン等から成る可撓性の樹脂チューブを基材とし、この基材の外周面と内周面が親水性コート材（潤滑性コート材）によってコーティングされている。親水性コート材としては例えばポリビニルピロリドンが用いられる。
【００３７】
本体チューブ７３の先端近傍には、第２バルーン８０が装着される。第２バルーン８０は、両端が窄まった筒状に形成されており、挿入補助具７０を貫通させた状態で装着され、不図示の糸を巻回することによって固定される。第２バルーン８０には、挿入補助具７０の外周面に貼り付けたチューブ７４が連通され、このチューブ７４の基端部にコネクタ７６が設けられる。コネクタ７６には、チューブ１２０が接続され、このチューブ１２０を介してバルーン制御装置１００に接続される。したがって、バルーン制御装置１００でエアを供給、吸引することによって、第２バルーン８０を膨張、収縮させることができる。第２バルーン８０は、エアを供給することによって略球状に膨張し、エアを吸引することによって挿入補助具７０の外周面に貼りつくようになっている。
【００３８】
挿入補助具７０の基端側には注入口７８が設けられている。この注入口７８は、挿入補助具７０の内周面に形成された開口（不図示）に連通される。したがって、注入口７８から注射器等で潤滑剤（例えば水等）を注入することによって、挿入補助具７０の内部に潤滑剤を供給することができる。よって、挿入補助具７０に挿入部１２を挿入した際に、挿入補助具７０の内周面と挿入部１２の外周面との摩擦を減らすことができ、挿入部１２と挿入補助具７０の相対的な移動をスムーズに行うことができる。
【００３９】
バルーン制御装置１００は、第１バルーン６０にエア等の流体を供給・吸引するとともに、第２バルーン８０にエア等の流体を供給・吸引する装置である。バルーン制御装置１００は主として、装置本体１０２、及びリモートコントロール用のハンドスイッチ１０４で構成される。
【００４０】
装置本体１０２の前面には、電源スイッチＳＷ１、停止スイッチＳＷ２、第１圧力表示部１０６、第２圧力表示部１０８、及び第１機能停止スイッチＳＷ３、第２機能停止スイッチＳＷ４が設けられる。第１圧力表示部１０６、第２圧力表示部１０８はそれぞれ、第１バルーン６０、第２バルーン８０の圧力値を表示するパネルであり、バルーン破れ等の異常発生時にはこの圧力表示部１０６、１０８にエラーコードが表示される。
【００４１】
第１機能停止スイッチＳＷ３、第２機能停止スイッチＳＷ４はそれぞれ、内視鏡用制御系統、挿入補助具用制御系統の機能をＯＮ／ＯＦＦするスイッチであり、第１バルーン６０と第２バルーン８０の一方のみを使用する場合には、使用しない方の機能停止スイッチＳＷ３、ＳＷ４を操作して機能をＯＦＦにする。機能がＯＦＦになった制御系統では、エアの供給、吸引が完全に停止し、その系統の圧力表示部１０６、又は１０８もＯＦＦになる。機能停止スイッチＳＷ３、ＳＷ４は両方をＯＦＦにすることによって、初期状態の設定等を行うことができる。例えば、両方の機能停止スイッチＳＷ３、ＳＷ４をＯＦＦにして、ハンドスイッチ１０４の全スイッチＳＷ５〜ＳＷ９を同時に押下操作することによって、大気圧に対するキャリブレーションが行われる。
【００４２】
装置本体１０２の前面には、第１バルーン６０へのエア供給・吸引を行うチューブ１１０、及び第２バルーン８０へのエア供給・吸引を行うチューブ１２０が接続される。各チューブ１１０、１２０と装置本体１０２との接続部分にはそれぞれ、第１バルーン６０、或いは第２バルーン８０が破れた時の体液の逆流を防止するための逆流防止ユニット１１２、１２２が設けられる。逆流防止ユニット１１２、１２２は、装置本体１０２に着脱自在に装着された中空円盤状のケース（不図示）の内部に気液分離用のフィルタを組み込むことによって構成されており、装置本体１０２内に液体が流入することをフィルタによって防止する。
【００４３】
一方、ハンドスイッチ１０４には、装置本体１０２側の停止スイッチＳＷ２と同様の停止スイッチＳＷ５と、第１バルーン６０の加圧／減圧を指示するＯＮ／ＯＦＦスイッチＳＷ６と、第１バルーン６０の圧力を保持するためのポーズスイッチＳＷ７と、第２バルーン８０の加圧／減圧を指示するＯＮ／ＯＦＦスイッチＳＷ８と、第２バルーン８０の圧力を保持するためのポーズスイッチＳＷ９とが設けられており、このハンドスイッチ１０４はコード１３０を介して装置本体１０２に電気的に接続されている。なお、図１には示してないが、ハンドスイッチ１０４には、第１バルーン６０や第２バルーン８０の送気状態、或いは排気状態を示す表示部が設けられている。
【００４４】
上記の如く構成されたバルーン制御装置１００は、各バルーン６０、８０にエアを供給して膨張させるとともに、そのエア圧を一定値に制御して各バルーン６０、８０を膨張した状態に保持する。また、各バルーン６０、８０からエアを吸引して収縮させるとともに、そのエア圧を一定値に制御して各バルーン６０、８０を収縮した状態に保持する。
【００４５】
バルーン制御装置１００は、バルーン専用モニタ８２に接続されており、各バルーン６０、８０を膨張、収縮させる際に、各バルーン６０、８０の圧力値や膨張・収縮状態をバルーン専用モニタ８２に表示する。なお、各バルーン６０、８０の圧力値や膨張・収縮状態は、内視鏡１０の観察画像にスーパーインポーズしてモニタ５０に表示するようにしてもよい。
【００４６】
図２に示すように、内視鏡１０の挿入部１２の先端部４４には、フード部材２００が装着される。フード部材２００は、シリコンゴム等の弾性体によって略円筒状に形成されている。
【００４７】
図３に示すように、フード部材２００の基端部２００Ｃは、その内径ｄが先端部４４の外径と略同寸法か、或いは若干小さい寸法で形成されており、フード２００の基端部２００Ｃを弾性変形させながら先端部４４に外嵌させることによって先端部４４に装着される。
【００４８】
フード部材２００の中間部２００Ｂは、その内周面が基端部２００Ｃよりも突出して形成されている。したがって、フード部材２００を先端部４４に装着した際、中間部２００Ｂの基端側の段差部分が先端部４４の先端面４５に当接することによって、フード部材２００の突出量ｈが確保される。
【００４９】
フード部材２００の先端部２００Ａは、その内周面が医療用カプセル２２０の曲面形状に合わせて形成されている。すなわち、フード部材２１２の先端部２１２Ａの内周面には、医療用カプセル２２０の球面の一部と同じ形状の曲面部２１２Ｄが形成されている。したがって、図４に示すようにフード部材２００の先端部２００Ａに医療用カプセル２２０を吸着して保持した際に、医療用カプセル２２０と先端部２１２Ａとの密着性が増すので、医療用カプセル２２０をより確実に保持することができる。
【００５０】
また、フード部材２００は、少なくとも先端部２００Ａと中間部２００Ｂが、透明或いは半透明な材質で形成される。よって、フード部材２００の先端部２００Ａに医療用カプセル２２０を保持した状態であっても、フード部材２００の外部を、透明或いは半透明な先端部２００Ａと中間部２００Ｂを介して観察することができる。なお、フード部材２００全体を、透明或いは半透明な材質で形成してもよい。
【００５１】
フード部材２００の先端部２００Ａには、突起部２００Ｅが形成されている。突起部２００Ｅは、舌状に形成されており、先端方向に突出して形成されている。この突起部２００Ｅの内周面は、先端部２００Ａの曲面部２００Ｄに連続した曲面状に形成されている。また、突起部２００Ｅは、１〜２ｍｍ程度の厚みで形成され、適度な剛性を有しており、突起部２００Ｅを医療用カプセル２００に引っ掛けて医療用カプセル２２０を動かした場合にも（図６参照）、突起部２００Ｅが撓まないように構成される。
【００５２】
次に上記の如く構成された内視鏡装置において、挿入部１２を体腔内に挿入する方法について図５（ａ）〜（ｊ）に従って説明する。なお、図５（ａ）〜（ｊ）は経口的に挿入を行う例であるが、経門的に挿入を行うようにしても良い。
【００５３】
まず、第１バルーン６０及び第２バルーン８０を収縮させ、挿入部１２を挿入補助具７０に挿通させた状態で、挿入部１２の挿入を開始する。そして、図５（ａ）に示すように、挿入部１２の先端が胃９０Ａの内部に達した際に、挿入補助具７０を挿入部１２に沿わせて挿入し、図５（ｂ）に示すように、挿入補助具７０の先端を胃９０Ａ内に到達させる。
【００５４】
次に挿入補助具７０が体腔内から抜けないように把持した状態で、挿入部１２を挿入補助具７０の内部に押し込んでいき、図５（ｃ）に示すように、挿入部１２の先端が十二指腸下行脚９０Ｂまで到達するまで挿入する（挿入操作）。そして、第１バルーン６０を膨張させ、挿入部１２の先端を十二指腸下行脚に固定する（固定操作）。
【００５５】
次いで、挿入補助具７０を押し込むことによって挿入補助具７０を挿入部１２に沿わせて挿入する（押し込み操作）。そして、図５（ｄ）に示すように、挿入補助具７０の先端部を第１バルーン６０の近傍に持っていった後、第２バルーン８０にエアを供給して膨張させる。これにより、第２バルーン８０が十二指腸下行脚９０Ｂに固定され、十二指腸下行脚９０Ｂが第２バルーン８０を介して挿入補助具７０に把持された状態になる（把持操作）。
【００５６】
この状態で挿入補助具７０と挿入部１２をともに手繰り寄せる（手繰り寄せ操作）。これにより、十二指腸下行脚９０Ｂまでの消化管９０の余分な撓みや屈曲が取り除かれる。
【００５７】
次いで、第１バルーン６０からエアを吸引して第１バルーン６０を収縮させた後、図５（ｅ）に示すように、挿入部１２を小腸９０Ｃの内部まで進める（挿入操作）。その際、十二指腸下行脚９０Ｂまでの消化管９０の余分な撓みが挿入補助具７０によって取り除かれているので、挿入部１２を容易に挿入することができる。
【００５８】
次に、図５（ｆ）に示すように、第１バルーン６０を膨張させて挿入部１２の先端を消化管９０に固定する（固定操作）。そして、第２バルーン８０を収縮させた後、図５（ｇ）に示すように、挿入補助具７０を挿入部１２に沿わせて挿入し（押し込み操作）、挿入補助具７０の先端が第１バルーン６０の近傍に近接した状態で第２バルーン８０を膨張させる（把持操作）。
【００５９】
次に図５（ｈ）に示すように、第１バルーン６０及び第２バルーン８０を膨張させた状態で、挿入補助具７０及び挿入部１２を手繰り寄せる（手繰り寄せ操作）。これにより、消化管９０の余分な撓みや屈曲が取り除かれる。
【００６０】
上述した一連の操作（挿入操作、固定操作、押し込み操作、把持操作、手繰り寄せ操作）を繰り返すことによって、複雑に屈曲或いは撓んでいた消化管９０が図５（ｉ）に示すように単純化される。よって、図５（ｊ）に示すように、消化管９０のさらに深部に挿入部１２を挿入することができる。
【００６１】
次に本発明に係る内視鏡装置の作用について説明する。以下、体腔内の消化管９０の狭窄部９０Ｄに引っかかった医療用カプセル２２０を保持して体腔外に回収する例について説明する。
【００６２】
まず、フード部材２００を先端部４４に装着した内視鏡１０の挿入部１２を体腔内に挿入する。例えば、前述した図５（ａ）〜図５（ｊ）の如く操作を行って、挿入部１２の先端部４４を小腸等の深部消化管に挿入する。
【００６３】
挿入部１２の先端部４４を医療用カプセル２２０の位置まで挿入した後、観察光学系５２によって得られる観察像を見ながら、フード部材２００の先端部２００Ａを体腔内の医療用カプセル２２０に接近させる。その際、図６に示すように、医療用カプセル２２０が斜めになった状態で狭窄部９０Ｄに滞留している場合には、フード部材２００の突起部２００Ｅを医療用カプセル２２０と腸壁との間に差し込み、その状態で先端部４４を上方に動かすことによって、医療用カプセル２２０の右端部を上方に起こす。これにより、図７に示すように、医療用カプセル２２０の姿勢が修正され、医療用カプセル２２０に対して挿入部１２（すなわちフード部材２００）をまっすぐにアプローチできるようになる。
【００６４】
医療用カプセル２２０の姿勢を修正した後、吸引ボタン３０（図１参照）を操作することによって鉗子口５８からの吸引作業を開始する。これにより、フード部材２００内の気体（或いは液体）が鉗子口５８から吸引され、フード部材２００の内部が吸引状態になる。フード部材２００の内部が吸引状態になることによって、医療用カプセル２２０は、フード部材２００の先端部２００Ａに吸着される。
【００６５】
その際、フード部材２００の先端部２００Ａを医療用カプセル２２０に対してまっすぐに（すなわち、医療用カプセル２２０の中心軸とフード部材２００の中心軸とが一致するように）アプローチできるので、先端部２００Ａの内周面の曲面部２００Ｄに医療用カプセル２２０の球面部分が密着し、医療用カプセル２２０を確実に保持することができる。また、フード部材２００の先端部２００Ａは、鉗子口５８よりも開口面積が大きいので、医療用カプセル２２０を大きな吸着力で確実に保持することができる。
【００６６】
医療用カプセル２２０を保持した後、内視鏡１０の挿入部１２を体腔内から引き抜くことによって医療用カプセル２２０を体腔の外部に運び出して回収する。その際、医療用カプセル２２０は、観察光学系５２による観察範囲内で保持されているので、医療用カプセル２２０が保持されていることを観察画像によって常に視認することができる。したがって、医療用カプセル２２０が脱落した場合にもすぐに状況を把握することができる。
【００６７】
また、内視鏡１０の挿入部１２を体腔内から引き抜く際、フード部材２００の中間部２００Ｂが透明或いは半透明で構成されるので、フード部材２００の外部を観察することができる。したがって、保持した医療用カプセル２２０が体腔内の壁面等に引っかかることを避けることができる。
【００６８】
なお、医療用カプセル２２０を保持した後に、挿入部１２の先端部４４を狭窄部９０Ｄ内に押し込むことによって、医療用カプセル２２０を狭窄部９０Ｄの前方に搬送してもよい。その場合、搬送後に吸引ボタン３０（図１参照）を操作して吸引を停止することによって、医療用カプセル２２０の保持を解除し、医療用カプセル２２０を消化管９０内に送り出すことができる。
【００６９】
以上説明したように本実施の形態の内視鏡装置によれば、フード部材２００の先端部に突起部２００Ｅを形成したので、突起部２００Ｅを医療用カプセル２２０に引っ掛けて動かすことによって、医療用カプセル２２０の姿勢を自在に変えることができる。したがって、医療用カプセル２２０に対してまっすぐにアプローチできない場合であっても、医療用カプセル２２０を、保持に適した姿勢に変えることができ、医療用カプセル２２０を確実に保持することができる。
【００７０】
なお、フード部材２００の突起部２００Ｅの形状は、上述した実施形態に限定されるものではなく、医療用カプセル２２０を動かしてその姿勢を変えることのできる形状であればよく、例えば円柱等の棒状や三角形状であってもよい。また、図８に示すように、突起部２００Ｅの内側面に横方向の溝２００Ｆを形成してもよい。この場合、突起部２００Ｅと医療用カプセル２２０との摩擦が大きくなるので、医療用カプセル２２０を容易に動かすことができる。
【００７１】
図９には別構成の突起部２００Ｅを示している。この突起部２００Ｅは、帯状物を湾曲させた状態でフード部材２００に取り付けることによって構成され、矢印Ｘ方向に先端側から押圧された場合には帯状物のループが潰れるように変形し、矢印Ｙ方向（すなわち中心軸に向かう径方向）に力を受けた場合には変形しにくく構成される。したがって、突起部２００Ｅの先端が腸壁を押圧しないように操作する必要がなく、且つ、医療用カプセル２２０を矢印Ｙ方向に確実に移動させることができる。
【００７２】
上述した実施形態は、突起部２００Ｅを一つのみ設けたが、突起部２００Ｅの個数はこれに限定するものではなく、複数設けてもよい。
【００７３】
また、フード部材２００の保持部の構成は上述した実施形態に限定されるものではなく、医療用カプセル２２０を保持可能な構成であればよい。例えば図１０に示すように、フード部材２００の先端部２００Ａの内周面にテーパ２００Ｇを形成することによって、保持部を構成してもよい。この場合、フード部材２００のテーパ２００Ｇに医療用カプセル２２０の曲面部が当接することによって、医療用カプセル２２０がフード部材２００の先端部２００Ａに保持される。
【００７４】
また、上述した実施形態は、フード部材２００を装着することによって、挿入部１２の先端に突起を設けたが、これに限定するものではなく、挿入部１２の先端部４４に、医療用カプセル２２０を動かすための突起を直接、設けるようにしてもよい。
【００７５】
さらに、上述した実施形態は、挿入部１２の先端に突起を設けるようにしたが、これに限定するものではなく、例えば図１１に示すように、挿入補助具７０のチューブ７３の先端に突起部７３Ｅを設けるようにしてもよい。この場合には、挿入補助具７０の突起部７３Ｅを医療用カプセル２２０に引っ掛けて動かすことによって、その姿勢を変えることができる。
【００７６】
なお、上述した実施形態は、第１バルーン６０と第２バルーン８０を備えたダブルバルーン式の内視鏡装置に本発明を適用した例であるが、本発明の内視鏡装置の構成はこれに限定するものではなく、第１バルーン６０、第２バルーン８０のない内視鏡装置や、挿入補助具７０を使用しない内視鏡装置にも本発明を適用することができる。すなわち、内視鏡１０の挿入部１２の先端部４４にフード部材２００を装着し、このフード部材２００の内部を鉗子口５８を利用して吸引状態にし、そのフード部材２００の先端に医療用カプセル２２０を吸着することによって、医療用カプセル２２０を確実に保持して回収又は搬送することができる。
【図面の簡単な説明】
【００７７】
【図１】本発明に係る内視鏡装置のシステム構成図
【図２】内視鏡挿入部の先端部とフード部材を示す斜視図
【図３】内視鏡挿入部の先端部とフード部材を示す断面図
【図４】フード部材を装着した内視鏡挿入部の先端部を示す断面図
【図５】本発明に係る内視鏡装置の操作方法を示す説明図
【図６】本発明に係る内視鏡装置の作用を示す説明図
【図７】本発明に係る内視鏡装置の作用を示す説明図
【図８】図２と異なる構成の突起部を有するフード部材を示す斜視図
【図９】図２と異なる構成の突起部を有するフード部材を示す斜視図
【図１０】図３と異なる構成のフード部材を示す断面図
【図１１】突起部を有する挿入補助具の先端部を示す斜視図
【符号の説明】
【００７８】
１０…内視鏡、１２…挿入部、１４…手元操作部、２６…プロセッサ、５０…モニタ、５１…吸引ポンプ、５２…観察光学系、５８…鉗子口、６０…第１バルーン、７０…挿入補助具、８０…第２バルーン、１００…バルーン制御装置、２００…フード部材、２００Ｅ…突起部、２２０…医療用カプセル
【図１】
2007089812.tif 000003
【図２】
2007089812.tif 000004
【図３】
2007089812.tif 000005
【図４】
2007089812.tif 000006
【図５】
2007089812.tif 000007
【図６】
2007089812.tif 000008
【図７】
2007089812.tif 000009
【図８】
2007089812.tif 000010
【図９】
2007089812.tif 000011
【図１０】
2007089812.tif 000012
【図１１】
2007089812.tif 000013